(57)【特許請求の範囲】
【請求項１】
新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、
樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、
前記遮水層および摩擦低減手段はＰＯＦケーブル用金属パイプと導電性を有するものであり、
前記遮水層として、導電性樹脂フィルム、金属被、金属フィルムまたは金属ラミネートテープを用い、この遮水層上に、前記摩擦低減手段として波付き金属被を用い、この波付き金属被外周には防食層を設けないことを特徴とするＰＯＦケーブル用パイプに引き入れる電力ケーブル構造。
【請求項２】
新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、
樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、
前記遮水層および摩擦低減手段はＰＯＦケーブル用金属パイプと導電性を有するものであり、
遮水層および摩擦低減手段として外部半導電層上に波付き金属被を用いこの波付き金属被外周には防食層を設けないことを特徴とするＰＯＦケーブル用パイプに引き入れる電力ケーブル構造。
【請求項３】
新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、
樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、
前記遮水層および摩擦低減手段はＰＯＦケーブル用金属パイプと導電性を有するものであり、
遮水層に金属フィルムまたは金属ラミネートテープを用い、この遮水層上に、摩擦低減手段として半導電性樹脂を直接押し出し成形し、この半導電性樹脂外周に防食層を設けないことを特徴とするＰＯＦケーブル用パイプに引き入れる電力ケーブル構造。
【請求項４】
新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、
樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、
前記遮水層および摩擦低減手段はＰＯＦケーブル用金属パイプと導電性を有するものであり、
遮水層および摩擦低減手段として外部半導電層上に半導電性樹脂を直接押し出し成形し、この半導電性樹脂外周に防食層を設けないことを特徴とするＰＯＦケーブル用パイプに引き入れる電力ケーブル構造。
【発明の詳細な説明】
【０００１】
【発明の属する技術分野】
本発明は、既設のＰＯＦケーブル（パイプタイプＯＦケーブル）用金属パイプ内に引き入れるまたは引き替えるのに有効な架橋ポリエチレン絶縁等の絶縁電力ケーブルの構造に関する。
【０００２】
【従来の技術】
ＰＯＦケーブルは、電力送電ルートに設置した鋼管内に複数条のケーブルを引き入れて鋼管内に絶縁油を満たしたものである。
【０００３】
ところで、ＰＯＦケーブルは大容量の地中送電線路として、従来より広く使用されてきたが、高い油圧の絶縁油を使用することから、油圧補償回路の設備および保守に費用がかかること、油漏れにより、環境に不具合を与える可能性があること、防災面での考慮が必要なことなど種々の問題がある。
【０００４】
これに対して、ＰＯＦケーブルを布設してあるパイプを利用して、ＣＶケーブル（押し出し樹脂絶縁ケーブル）を引き入れまたは引き替えることによって、油圧補償装置を省略することができるようになり、上記の問題点を解決することができる。
【０００５】
従来型のＣＶケーブルの構成は、図３に横断面を示すように、中心の導体１の外周に順次、内部半導電層２、絶縁層３、外部半導電層４、遮蔽テープ５、押えテープ６、アルミ被７、および防食層８が順次配置されて構成されている。
【０００６】
【発明が解決しようとする課題】
しかしながら、従来型のＣＶケーブルでは、パイプとケーブル間の摩擦が大きく、引き入れ長を大きくすることができないという不具合がある。また、従来のＣＶケーブルはＰＯＦケーブルよりも外径が大きく同容量の確保や増容量が難しい。さらには、ケーブルとパイプ間で電気的な接続を取るために防食層を省略した場合、パイプ内部に残留する絶縁油によって、ケーブルの外部半導電層やテープ層が膨潤するなどのダメージを受ける場合がある。
【０００７】
なお、出願人が既に提案した特開平11−273465号公報の記載の技術では、ＰＯＦパイプ内にＰＯＦケーブルを絶縁電力ケーブに引き替えて、パイプ内に水を圧入あるいは循環してなるものである。しかしながら、この技術では、防水性については考慮があるが、水の圧入や循環の設備が必要であり、水圧入などの条件を無くしてさらに簡素化した技術が求められるものである。
【０００８】
本発明は、上述した事情に鑑みて提案されたもので、既存のＰＯＦケーブル用金属パイプ内に樹脂絶縁ケーブルを引き入れるまた引き替える時の摩擦の低減を考慮しつつ遮蔽層とＰＯＦケーブル用金属パイプとの電気的接続を維持し樹脂絶縁電力ケーブルを引き替え可能とし、ケーブル外径を低減し、ケーブルへの前記金属パイプ内の残留油の影響を排除することができるようにし、これにより、地中送電線路の建設・保守コストを低減することができ、かつ防災性を高めることができるＰＯＦケーブル用パイプに引き入れる電力ケーブル構造を提供することを目的とする。
【０００９】
【課題を解決するための手段】
本発明は、新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、前記遮水層および摩擦低減手段はＰＯＦケーブル用金属パイプと導電性を有するものであり、前記遮水層として、導電性樹脂フィルム、金属被、金属フィルムまたは金属ラミネートテープを用い、この遮水層上に、前記摩擦低減手段として波付き金属被を用い、この波付き金属被外周には防食層を設けないことを特徴とするＰＯＦケーブル用パイプに引き入れる電力ケーブル構造である。
【００１０】
本発明は、新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、前記遮水層および摩擦低減手段はＰＯＦケーブル用金属パイプと導電性を有するものであり、遮水層および摩擦低減手段として外部半導電層上に波付き金属被を用いこの波付き金属被外周には防食層を設けないことを特徴とするＰＯＦケーブル用パイプに引き入れる電力ケーブル構造である。
【００１１】
本発明は、新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、前記遮水層および摩擦低減手段はＰＯＦケーブル用金属パイプと導電性を有するものであり、遮水層に金属フィルムまたは金属ラミネートテープを用い、この遮水層上に、摩擦低減手段として半導電性樹脂を直接押し出し成形し、この半導電性樹脂外周に防食層を設けないことを特徴とするＰＯＦケーブル用パイプに引き入れる電力ケーブル構造である。
【００１２】
本発明は、新設のＰＯＦケーブル用金属パイプまたは、既存のＰＯＦケーブル線路からＰＯＦケーブルと絶縁油を除去した後のＰＯＦケーブル用金属パイプ内部に引き替える樹脂絶縁電力ケーブルであって、樹脂絶縁電力ケーブルは、絶縁層の外周の外部半導電層上に水および油の進入を防止する遮水層および該樹脂絶縁電力ケーブル外周面とパイプ内面と摩擦抵抗を低減する摩擦低減手段を配設したものであり、前記遮水層および摩擦低減手段はＰＯＦケーブル用金属パイプと導電性を有するものであり、遮水層および摩擦低減手段として外部半導電層上に半導電性樹脂を直接押し出し成形し、この半導電性樹脂外周に防食層を設けないことを特徴とするＰＯＦケーブル用パイプに引き入れる電力ケーブル構造である。
【００１３】
本発明によれば、遮水層でＰＯＦケーブルおよび絶縁油除去後のＰＯＦケーブル用金属パイプ内残留油あるいは水の影響を極力なくし、かつ、摩擦低減手段でケーブル引き入れを容易にすると共に、前記金属パイプと遮蔽層との電気的接続を維持するため、遮水層と摩擦低減手段とは導電性を有するものとして遮蔽層の役割を負わせている。
しかも、摩擦低減手段よりも外周には、防食層などは不要なので樹脂絶縁電力ケーブルの外径は小さくなり、送電容量の低下を防止でき、増容量も図ることができる。
そして、前記電力ケーブルを引き替えた後は水などをＰＯＦケーブル用金属パイプ内に入れずに自然放熱させて冷却できる。
【００１４】
【発明の実施の形態】
以下、図面に基づいて、本発明の実施形態を詳細に説明する。
図２は実施形態に係るＰＯＦケーブル用パイプに引き入れる電力ケーブル構造の横断面説明図である。図１は比較例に係るＰＯＦケーブル用パイプに引き入れる電力ケーブル構造の横断面説明図である。図１において図２と同様部分には同一の符号を付している。
【００１５】
図２に示すように、実施形態の電力ケーブルは、新設のＰＯＦケーブル用金属パイプまたは地中線路等の既存のＰＯＦケーブル線路からＰＯＦケーブルと絶縁油を除去した後のＰＯＦケーブル用金属パイプ（例えば鋼管）内部に引き替える樹脂絶縁電力ケーブルであって、中心の導体１の外周に順次、内部半導電層２、絶縁層３、外部半導電層４が配置されて構成されており、絶縁層３には、例えば架橋ポリエチレンを押し出し成形したＣＶケーブルなどの樹脂絶縁電力ケーブルである。
【００１６】
そして、樹脂絶縁電力ケーブルは、絶縁層３の外周の外部半導電層４上に水の進入を防止する遮水層１０および該樹脂絶縁電力ケーブル外周面とパイプ内面との摩擦抵抗を低減する摩擦低減手段１２を配設したものであり、前記遮水層１０と摩擦低減手段１２とはＰＯＦケーブル用金属パイプ１４との導電性を有するものである。
【００１７】
ここで、実施形態では、前記外部半導電層４直上の遮水層１０には、金属被（鉛被、アルミ被、あるいはステンレス被）、金属フィルム（鉛フィルム、あるいはアルミフィルム）、または、金属ラミネートテープ（鉛ラミネートテープ、あるいはアルミラミネートテープ）を配置する。
この遮水層１０上に、押えテープ１６を介して前記摩擦低減手段１２として波付き金属被を用い、この波付き金属被外周には防食層を設けない。
なお、遮水層１０は上記のようにその外周を押えテープ１６を巻き付けて固定してもよく、一方、遮水層１０がそのままで固定できれば押えテープ１６は用いなくてもよい。
【００１８】
上記以外の実施形態（実施形態２）は、樹脂絶縁電力ケーブル外径を低減する方法に係るものとして、金属フィルムまたは金属ラミネートテープを遮水層１０に用い、この遮水層１０上に、摩擦低減手段として半導電性樹脂（ポリエチレン、塩化ビニル等）を直接押し出し成形するものである。
【００１９】
比較例の摩擦低減手段１２Ａとしては、図１に断面視するように、断面円形、断面半円形断面楕円形またはＤ形状断面のアルミ、銅、鋼鉄あるいはステンレスからなる、スキッドワイヤを複数前記遮水層回りに螺旋巻きする。複数のスキッドワイヤは設けることにより、ＰＯＦパイプ内の接続部、入り口あるいは出口においてスキッドワイヤにより応力を受けられるようにできる。
【００２０】
本発明のさらに他の実施形態３〜４を説明する。
前記ＰＯＦケーブル用金属パイプ１４と樹脂絶縁電力ケーブルとの電気的な接続を維持しつつ摩擦を低減する摩擦低減手段１２として、実施形態３〜４には、次のものがある。
【００２１】
実施形態３では、遮水層１０および摩擦低減手段１２として、樹脂絶縁電力ケーブルの外部半導電層４上に波付き金属被（アルミ被、ステンレス被）を配置する。
実施形態４では、遮水層１０および摩擦低減手段１２として、外部半導電層４上に半導電性樹脂（ポリエチレン、あるいは塩化ビニル等）をパイプ状に押し出し成形し被覆したものである。
【００２２】
実施形態によれば、遮水層１０でＰＯＦケーブルおよび絶縁油除去後のＰＯＦケーブル用金属パイプ１４内の残留油あるいは水の影響を極力なくし、かつ、摩擦低減手段１２でケーブル引き入れを容易にすると共に、前記金属パイプ１４と遮蔽層との電気的接続を維持するため、遮水層１０と摩擦低減手段１２とは導電性を有するものとして遮蔽層の役割を負わせている。
しかも、摩擦低減手段１２よりも外周には、防食層などは不要なので樹脂絶縁電力ケーブルの外径は小さくなり、送電容量の低下を防止でき、増容量も図ることができる。
そして、前記電力ケーブルを引き替えた後は水などをＰＯＦケーブル用金属パイプ内に入れずに自然放熱させて十分な冷却を可能にできる。
【００２３】
なお、本発明においては、遮水層１０と摩擦低減手段１２とは前記ＰＯＦケーブル用パイプと樹脂絶縁ケーブルとの電気的な接続を維持するのは、抵抗値として1×１０7Ωｃｍ以下好ましくは1×１０5Ωｃｍ以下とするのが好ましい。
【００２５】
【発明の効果】
本発明は、上述した構成を備えているため、既存のＰＯＦケーブル用金属パイプ内に樹脂絶縁ケーブルを引き替える時の摩擦の低減を考慮しつつ遮蔽層とＰＯＦケーブル用金属パイプとの電気的接続を維持し樹脂絶縁電力ケーブルを引き替え可能とし、樹脂絶縁電力ケーブル外径を低減し、そのＰＯＦケーブル用金属パイプ内の残留油が樹脂絶縁電力ケーブルに影響を排除することができるようにする。
これにより、地中送電線路の建設・保守コストを低減することができ、かつ防災性を高めることができる。
【図面の簡単な説明】
【図１】  比較例に係るＰＯＦケーブル用パイプに引き入れる電力ケーブル構造の横断面説明図である。
【図２】  実施形態に係る前記パイプに引き入れる電力ケーブル構造の横断面説明図である。
【図３】  従来のＣＶケーブルの断面視図の説明図である。
【符号の説明】
１  導体
２  内部半導電層
３  絶縁層
４  外部半導電層
１０  遮水層
１２  摩擦低減手段
１４  ＰＯＦケーブル用金属パイプ
【図１】
0003805187.tif 000002
【図２】
0003805187.tif 000003
【図３】
0003805187.tif 000004